(57)【要約】【課題】回路が簡単な、ソースドライバやゲートドライバが誤動作しない、液晶表示装置を提供する。【解決手段】複数の行電極１８及び複数の列電極１７を有する液晶パネル１１と、各行電極１８を駆動するゲートドライバ１６と、各列電極１７を駆動するソースドライバ１５とゲートドライバ１６及びソースドライバ１５に各種信号を出力する制御用集積回路１２とソースドライバ１５にガンマ補正用電圧を供給するガンマ補正回路１４と、電源供給用回路１３とを備え、電源供給用回路１３は、制御用集積回路１２及びゲートドライバ１６及びソースドライバ１５に対し、駆動用電圧を出力する第１電源部２０と、制御用集積回路１２から制御信号を受け取る第１スイッチ２５と、第１スイッチ２５を介してガンマ補正回路１４に対し第２基準電圧を出力する第２電源部２４を有する。【選択図】図２
2006323138.tif 000002
【特許請求の範囲】
【請求項１】
複数の行電極及び複数の列電極を有する液晶パネルと、各行電極を駆動するゲートドライバと、各列電極を駆動するソースドライバと、前記ゲートドライバ及び前記ソースドライバに各種信号を出力する制御用集積回路と、前記ソースドライバにガンマ補正用電圧を供給するガンマ補正回路と、電源供給用回路とを備え、前記電源供給用回路は、前記制御用集積回路及び前記ゲートドライバ及び前記ソースドライバに対し、駆動用電圧を出力する第１電源部と、前記制御用集積回路から制御信号を受け取る第１スイッチと、前記第１スイッチを介して前記ガンマ補正回路に対し第２基準電圧を出力する第２電源部を有する事を特徴とする液晶表示装置。
【請求項２】
最初に、前記制御信号により前記第１スイッチが開成され、前記第１電源部が前記駆動用電圧を出力し、その後に、前記制御信号の変化により前記第１スイッチが閉成され、前記第２電源部が前記第２基準電圧を出力する事を特徴とする請求項１の液晶表示装置。
【請求項３】
前記第１電源部の出力を変換する第１変換部を設け、前記第１変換部は前記ガンマ補正回路に対し、第１基準電圧を出力する事を特徴とする請求項１の液晶表示装置。
【請求項４】
前記第１電源部の出力を変換する第２変換部を設け、前記第２変換部は第１チャージポンプ及び第１安定化回路からなり、前記ゲートドライバに対し低電圧を出力する事を特徴とする請求項１の液晶表示装置。
【請求項５】
前記第１スイッチを介した出力を変換する第３変換部を設け、前記第３変換部は前記ソースドライバに対し列用電圧を出力する事を特徴とする請求項１の液晶表示装置。
【請求項６】
前記第２電源部の出力を変換する第４変換部を設け、前記第４変換部は第２チャージポンプ及び第２安定化回路からなり、前記第４変換部の出力側に接続され、かつ前記制御用集積回路から制御信号を受け取る第２スイッチを設けた事を特徴とする請求項４の液晶表示装置。
【請求項７】
最初に、前記制御信号により前記第２スイッチが開成され、前記第１電源部が前記駆動用電圧および前記低電圧を出力し、その後に、前記制御信号の変化により前記第２スイッチが閉成され、前記第２電源部が前記ゲートドライバに対し、高電圧を出力し、前記低電圧と前記高電圧が共に出力される事を特徴とする請求項６の液晶表示装置。
【請求項８】
前記ガンマ補正回路は前記ソースドライバに対しガンマ補正用電圧を供給すると共に、前記液晶パネルに対し、コモン電圧を供給する様に構成されている事を特徴とする請求項１の液晶表示装置。
【発明の詳細な説明】
【技術分野】
【０００１】
本発明は液晶表示装置に関する。
【背景技術】
【０００２】
従来、この種の装置は例えば特許文献１に示されている。特許文献１に示された液晶表示装置のブロック図を図８に示す。図８において、液晶表示装置５０は、液晶パネル５１と駆動回路部５２とからなる。
【０００３】
駆動回路部５２は、ゲートドライバ６０と、ソースドライバ６５と、ガンマ補正電圧生成回路６１と、階調電圧生成回路６２と、コモン電圧生成回路６４と、制御用ＩＣ６６を有している。図示していないが、上記部品５１，６０，６５，６１，６２，６４，６６等に各々、適正な電圧を供給する電源供給用回路が設けられている。
【特許文献１】特開２００３−２９５８４２号公報
【発明の開示】
【発明が解決しようとする課題】
【０００４】
上記装置では、ガンマ補正電圧生成回路６１と、コモン電圧生成回路６４を別々に設けているので、回路が複雑となり、大型化し、コストが高くなる、第１の欠点がある。また上記装置では、各部品５１，６０，６５，６１，６２，６４，６６に供給する電圧の供給順序が定められていない。そのため、例えば、ソースドライバ６５に対し、最初に、ガンマ補正電圧が供給され、その後に駆動電圧が供給されることがある。その結果、ソースドライバ６５は誤動作をしたり、破壊する、第２の欠点がある。
【０００５】
そこで、本発明は、この様な従来の欠点を考慮して、回路が簡単な、ソースドライバやゲートドライバが誤動作しない、液晶表示装置を提供する。
【課題を解決するための手段】
【０００６】
上記課題を解決するために、請求項１の本発明では、複数の行電極及び複数の列電極を有する液晶パネルと、各行電極を駆動するゲートドライバと、各列電極を駆動するソースドライバと、前記ゲートドライバ及び前記ソースドライバに各種信号を出力する制御用集積回路と、前記ソースドライバにガンマ補正用電圧を供給するガンマ補正回路と、電源供給用回路とを備え、前記電源供給用回路は、前記制御用集積回路及び前記ゲートドライバ及び前記ソースドライバに対し、駆動用電圧を出力する第１電源部と、前記制御用集積回路から制御信号を受け取る第１スイッチと、前記第１スイッチを介して前記ガンマ補正回路に対し第２基準電圧を出力する第２電源部を有する。
【０００７】
請求項２の本発明では、最初に、前記制御信号により前記第１スイッチが開成され、前記第１電源部が前記駆動用電圧を出力し、その後に、前記制御信号の変化により前記第１スイッチが閉成され、前記第２電源部が前記第２基準電圧を出力する。
【０００８】
請求項３の本発明では、前記第１電源部の出力を変換する第１変換部を設け、前記第１変換部は前記ガンマ補正回路に対し、第１基準電圧を出力する。
【０００９】
請求項４の本発明では、前記第１電源部の出力を変換する第２変換部を設け、前記第２変換部は第１チャージポンプ及び第１安定化回路からなり、前記ゲートドライバに対し低電圧を出力する。
【００１０】
請求項５の本発明では、前記第１スイッチを介した出力を変換する第３変換部を設け、前記第３変換部は前記ソースドライバに対し列用電圧を出力する。
【００１１】
請求項６の本発明では、前記第２電源部の出力を変換する第４変換部を設け、前記第４変換部は第２チャージポンプ及び第２安定化回路からなり、前記第４変換部の出力側に接続され、かつ前記制御用集積回路から制御信号を受け取る第２スイッチを設けた。
【００１２】
請求項７の本発明では、最初に、前記制御信号により前記第２スイッチが開成され、前記第１電源部が前記駆動用電圧および前記低電圧を出力し、その後に、前記制御信号の変化により前記第２スイッチが閉成され、前記第２電源部が前記ゲートドライバに対し、高電圧を出力し、前記低電圧と前記高電圧が共に出力される。
【００１３】
請求項８の本発明では、前記ガンマ補正回路は前記ソースドライバに対しガンマ補正用電圧を供給すると共に、前記液晶パネルに対し、コモン電圧を供給する様に構成されている。
【発明の効果】
【００１４】
請求項１の構成により、駆動用電圧を出力する電源系と、第２基準電圧を出力する電源系を独立させることができる。その結果、駆動用電圧と、第２基準電圧の供給順序を設定できる。
【００１５】
請求項２の構成により、最初に、ソースドライバに駆動用電圧を供給し、その後に、第基準電圧を供給し、ガンマ補正回路を介してソースドライバに対し、ガンマ補正用電圧を供給できる。その結果、ソースドライバの誤動作や損傷を防止できる。
【００１６】
請求項３の構成により、最初に、ガンマ補正回路に対し、第１基準電圧を供給することができ、ガンマ補正回路はガンマ補正用電圧を出力する準備ができる。
【００１７】
請求項４の構成により、ゲートドライバに低電圧を供給する第２変換部は、第１チャージポンプ及び第１安定化回路にて構成されている。その結果、第２変換部自身は低消費電力で、効率よく、所望の電圧を出力できる。
【００１８】
請求項５の構成により、最初に、ソースドライバに駆動用電圧を供給し、その後に、第１スイッチが閉成し、ソースドライバに列用電圧を供給できる。その結果、ソースドライバの誤動作や損傷を防止できる。
【００１９】
請求項６の構成により、第２スイッチに電圧を供給する第４変換部は、第２チャージポンプ及び第２安定化回路にて構成されている。その結果、第４変換部自身は低消費電力で効率よく、所望の電圧を出力できる。
【００２０】
請求項７の構成により、最初に、ゲートドライバに駆動用電圧および低電圧を供給し、その後に、ゲートドライバに高電圧および低電圧を供給できる。その結果、ゲートドライバの誤動作や損傷を防止できる。
【００２１】
請求項８の構成により、ガンマ補正回路は、ガンマ補正用電圧を供給すると共に、液晶パネルにコモン電圧を供給できる。その結果、従来の２つの回路が１つの回路で済み、回路が簡単となり、小型化でき、コストが安くなる。
【発明を実施するための最良の形態】
【００２２】
以下に、本発明を実施するための最良の形態を、実施例及び図面を用いて詳細に説明する。以下の実施例は、本発明の技術思想を具体化するための液晶表示装置の一例を例示するものである。本発明は、特許請求の範囲に示した技術思想を逸脱することなく、種々の変更を行ったものにも、均しく適用し得る。
【実施例】
【００２３】
以下、図１ないし図３に従い、本実施例に係る液晶表示装置１０を説明する。図１は液晶表示装置１０のブロック図である。図２は、液晶表示装置１０に用いられる電源供給用回路１３のブロック図である。図３は、液晶表示装置１０に用いられるガンマ補正回路１４のブロック図である。
【００２４】
図１において、液晶表示装置１０は、液晶パネル１１と、制御用集積回路１２と、電源供給用回路１３と、ガンマ補正回路１４と、複数個のソースドライバ１５と、複数個のゲートドライバ１６等から構成されている。
【００２５】
液晶パネル１１は例えば、下ガラス基板上に複数個設けられた行電極１８と、複数個の列電極１７と、それらの交点近傍に設けられたＴＦＴと、ＴＦＴに接続された画素電極などを有する。液晶パネル１１は、上ガラス基板に設けられたコモン（共通）電極と、下ガラス基板と、上ガラス基板との間に設けられた液晶（共に図示せず）等を有する。
【００２６】
制御用集積回路１２は、入力インターフェース（図示せず）を介して、コンピュータ、テレビジョン装置、ビデオ再生装置、ＤＶＤ再生装置（共に図示せず）等から送られてきたデータイネーブル信号ＤＥが入力される。
【００２７】
また、制御用集積回路１２は、上記装置等から送られてきた、例えばＲＧＢ各８ビットのデジタル画像データＩＲＤ，ＩＧＤ，ＩＢＤが入力される。制御用集積回路１２は、クロック信号ＤＯＴＣＬ，垂直同期信号ＶＳＹＮ，水平同期信号ＨＳＹＮが入力される。
【００２８】
制御用集積回路１２は、上記入力信号を信号処理し、ソースドライバ１５に対し、画像データＯＲＤ，ＯＧＤ、ＯＢＤ，極性反転信号ＰＯＬ，ストローブ信号ＳＴＲＢ，スタートパルス信号ＳＰ等を出力する。
【００２９】
また、制御用集積回路１２は、クロックパルス信号ＣＰＶを、電源供給用回路１３およびゲートドライバ１６へ供給する。制御用集積回路１２は、ゲートドライバ１６に対し、フレーム信号ＦＬＭを供給する。
【００３０】
更に、制御用集積回路１２は、電源供給用回路１３に対し、各部品への電源供給順序を示す制御信号ＣＴＲＬを出力する。この様に、制御用集積回路１２は、電源供給用回路１３およびゲートドライバ１６およびソースドライバ１５に対し、各種信号を出力する。
【００３１】
電源供給用回路１３は、入力された直流電圧ＶＩＮ（例えば１２ボルト）をもとに、各部品に対し、適正な直流電圧を出力する。具体的には、電源供給用回路１３は、ガンマ補正回路１４に対し、第１基準電圧ＶＣＯＭ１（例えば、−１．０ボルト）と、第２基準電圧ＶＣＯＭ２（例えば、５．５ボルト）を出力する。
【００３２】
電源供給用回路１３は、制御用集積回路１２と、ソースドライバ１５と、ゲートドライバ１６に対し、各々、駆動用電圧ＶＤＤ１（例えば、３．３ボルト）を出力する。
【００３３】
電源供給用回路１３は、ソースドライバ１５を介して、液晶パネル１１の列電極１７に印加するための列用電圧ＶＧＥＮ（例えば、５ボルト）を出力する。
【００３４】
電源供給用回路１３は、ゲートドライバ１６を介して、液晶パネル１１の行電極１８に印加するための高電圧ＶＧＨ（例えば、１２ボルト）および低電圧ＶＧＬ（例えば、−１５ボルト）を出力する。
【００３５】
電源供給用回路１３は、ゲートドライバ１６に対し、他の駆動用電圧ＶＤＤ２（例えば−１１．７ボルト）を出力する。
【００３６】
ガンマ補正回路１４は、電源供給用回路１３から供給された第１基準電圧ＶＣＯＭ１と第２基準電圧ＶＣＯＭ２を抵抗分圧することにより、各ソースドライバ１５に対し、ガンマ補正電圧ＶＧＭ１〜ＶＧＭ１０を出力する。
【００３７】
ソースドライバ１５は、このガンマ補正用電圧ＶＧＭ１〜ＶＧＭ１０を、内蔵されたＤ／Ａコンバータの基準電圧として利用する。その結果、ソースドライバ１５は、入力された画像データＯＲＤ，ＯＧＤ，ＯＢＤをアナログ変換し、各列電極１７に対し、上記アナログ変換された電圧を出力する。
【００３８】
この電源供給用回路１３の一具体例を、図２に従い説明する。図２において、電源供給用回路１３は、電源電圧検知回路１９と、第１電源部２０と、第１変換部２１と、第２変換部２２と、ツェナーダイオード２３と、第２電源部２４と、第１スイッチ２５と、第３変換部２６と、第４変換部２７と、第２スイッチ２８等から構成されている。
【００３９】
電源電圧検知回路１９は例えば、リセットＩＣと２個のトランジスタ等からなり、入力電圧ＶＩＮが所定値（例えば、直流１２ボルト）以上になると、内部回路を導通させ、電圧を出力するものである。そして、入力電圧ＶＩＮが所定値未満になると、電圧の出力を停止する。
【００４０】
第１電源部２０は例えば、電圧降圧型スイッチングレギュレータからなる。第１電源部２０は、電源電圧検知回路１９を介して入力された電圧ＶＩＮを３．３ボルトに降下させた駆動用電圧ＶＤＤ１を出力する。
【００４１】
この様に、電源供給用回路１３は、制御用集積回路１２およびゲートドライバ１６およびソースドライバ１５に対し、駆動用電圧ＶＤＤ１を出力する第１電源部２０を有する。
【００４２】
第１変換部２１は例えば、極性反転部２９と、シリーズレギュレータ３０からなる。極性反転部２９は、第１電源部２０の出力（例えば、３．３ボルト）を反転させ、−３．３ボルトにする。シリーズレギュレータ３０は、この反転電圧を昇圧させ、第１基準電圧ＶＣＯＭ１（−１．０ボルト）を出力する。
【００４３】
即ち、第１電源部２０の出力を変換する第１変換部２１が設けられる。第１変換部２１はガンマ補正回路１４に対し、第１基準電圧ＶＣＯＭ１を出力する。
【００４４】
第２変換部２２は、第１チャージポンプおよび第１安定化回路からなる。第２変換部２２は、第１電源部２０からのスイッチングパルスが入力され、低電圧ＶＧＬ（−１５ボルト）を出力する。
【００４５】
即ち、第１電源部２０の出力を変換する第２変換部２２は、ゲートドライバ１６に対し低電圧ＶＧＬを出力する。
【００４６】
ツェナーダイオード２３は、第２変換部２２の低電圧ＶＧＬが入力され、ゲートドライバ１６に対し、他の駆動用電圧ＶＤＤ２（−１１．７ボルト）を出力する。
【００４７】
第２電源部２４は、例えば電圧降圧型スイッチングレギュレータからなる。第２電源部２４は、電源電圧検知回路１９を介して入力された電圧ＶＩＮを、５．５ボルトに降下させ、出力する。
【００４８】
第１スイッチ２５は例えばトランジスタ等からなり、その制御端子は、制御用集積回路１２からの制御信号ＣＴＲＬを受け取る。
【００４９】
制御信号ＣＴＲＬがＨｉ信号の場合、第１スイッチ２５は閉成され、第２電源部２４は第２基準電圧ＶＣＯＭ２（例えば、５．５ボルト）を出力する。
【００５０】
制御信号ＣＴＲＬがＬｏ信号の場合、第１スイッチ２５は開成され、第１スイッチ２５は非導通となる。
【００５１】
即ち、制御用集積回路１２から制御信号ＣＴＲＬを受け取る第１スイッチ２５が設けられる。第１スイッチ２５を介してガンマ補正回路１４に対し、第２基準電圧ＶＣＯＭ２を出力する第２電源部２４が設けられている。
【００５２】
最初に、制御用集積回路１２からの制御信号ＣＴＲＬがＬｏ信号であるので、第１スイッチ２５は開成され、第１電源部２０は各部品１２，１５，１６に対し、駆動用電圧ＶＤＤ１を出力する。
【００５３】
そして、制御用集積回路１２は、上記動作から所定時間が経過すると、制御信号ＣＴＲＬとしてＨｉ信号を出力する。この様に、制御信号ＣＴＲＬの変化（Ｈｉ信号に変わったこと）により、第１スイッチ２５が閉成される。その結果、第２電源部２４は、ガンマ補正回路１４に対し、第２基準電圧ＶＣＯＭ２を出力する。
【００５４】
第３変換部２６は例えば、シリーズレギュレータ等からなり、第１スイッチ２５を介して、第２基準電圧ＶＣＯＭ２が入力される。
【００５５】
即ち、第１スイッチ２５を介した出力ＶＣＯＭ２（５．５ボルト）を列用電圧ＶＧＥＮ（５ボルト）に変換する第３変換部２６が設けられている。第３変換部２６はソースドライバ１５に対し、列用電圧ＶＧＥＮを出力する。
【００５６】
第２電源部２４の出力を変換する第４変換部２７が設けられている。第４変換部２７は第２チャージポンプおよび第２安定化回路から構成されている。
【００５７】
第４変換部２７の出力側に接続され、制御用集積回路１２からの制御信号ＣＴＲＬを受け取る第２スイッチ２８が設けられている。
【００５８】
最初に、制御用集積回路１２からの制御信号ＣＴＲＬ（Ｌｏ信号）により、第２スイッチ２８は開成される。この時、第１電源部２０は各部品１２，１５，１６に対し、駆動用電圧ＶＤＤ１を出力する。かつ、第１電源部２０はゲートドライバ１６に対し、低電圧ＶＧＬを出力する。
【００５９】
そして、制御用集積回路１２は、上記動作から所定時間が経過すると、制御信号ＣＴＲＬとしてＨｉ信号を出力する。この様に、制御信号ＣＴＲＬの変化により、第２スイッチ２８が閉成される。その結果、第２電源部２４はゲートドライバ１６に対し、高電圧ＶＧＨ（例えば、１２ボルト）を出力する。
【００６０】
この様にして、ゲートドライバ１６に対し、低電圧ＶＧＬと高電圧ＶＧＨが共に出力される。以上の部品により、電源供給用回路１３は構成されている。
【００６１】
次に、図３に従い、ガンマ補正回路１４を説明する。図３において、ガンマ補正回路１４は、分圧回路３１〜４１と、オペアンプ４２〜５３と、ＲＣ回路５４〜６６等から構成されている。
【００６２】
分圧回路３１〜４１は、第２基準電圧ＶＣＯＭ２と、接地電圧との間に設けられている。各オペアンプ４３〜５２の＋端子は、分圧回路３１〜４１の各分圧点に接続されている。
【００６３】
各オペアンプ４３〜５２の出力側は、ガンマ補正用電圧ＶＧＭ１〜ＶＧＭ１０を出力する。この様に、ガンマ補正回路１４は、ソースドライバ１５に対し、ガンマ補正用電圧ＶＧＭ１〜ＶＧＭ１０を供給する。
【００６４】
オペアンプ５３の＋端子は、リード線を介して、第１基準電圧ＶＣＯＭ１に接続されている。オペアンプ５３の−端子は、ＲＣ回路６６を介して、出力側に接続されている。また、上記出力側はＲＣ回路６５に接続されている。
【００６５】
これらのオペアンプ５３と、リード線と、ＲＣ回路６６，６５等により、コモン電圧生成回路６７が構成されている。また、上記オペアンプ４２〜５３は、１個のＩＣ６８に内蔵されている。コモン電圧生成回路６７は、コモン電圧ＶＣＯＭを出力する。
【００６６】
即ち、ガンマ補正回路１４は、ソースドライバ１５に対し、ガンマ補正用電圧ＶＧＭ１〜ＶＧＭ１０を供給すると共に、液晶パネル１１に対し、コモン電圧ＶＣＯＭを供給する様に構成されている。上記部品により、この液晶表示装置１０は構成されている。
【００６７】
次に、ガンマ補正について説明する。陰極線管（ＣＲＴ等）においては、駆動電圧Ｖと発光輝度Ｙとの間の関係は、比例関係ではなく、Ｙ＝ＫＶγという関係式で表現される。この定数γをガンマと呼び、わが国のテレビジョン方式においては、あらかじめ、この特性を考慮し、γ＝２．２として、送信側で補正を行っている。
【００６８】
送信側で元の信号に加えられたγ補正は、画像の明るさだけでなく、赤、緑、青の割合まで変えてしまう。しかし、受信側でが、そのγ補正された信号をＣＲＴで表示すると、駆動電圧Ｖと発光輝度Ｙとの関係が比例関係となって、元の色を再現できるようになっている。
【００６９】
しかし、液晶表示装置においては、駆動電圧と輝度ないし透過光量との間の関係は、ＣＲＴの場合とは異なるので、ＴＶ受信機用の液晶表示装置においては、受信側でγ補正を行い、ＣＲＴで表示した場合と同様の色が再現できる様にする必要がある。
【００７０】
例えば、一般の液晶表示装置における液晶パネルの各画素電極に印加される電圧Ｖと、光の透過率Ｔとの関係、即ちＶ−Ｔ特性を図４に示す。この場合、８ビット＝２５６の階調表示ができる液晶表示装置とするために、印加電圧を均等に分割し、２５６階調の信号レベルとする。そして、黒レベルの透過率を０とし、白レベルの透過率を１００％として正規化するならば、図５に示したような信号レベル対透過率の関係となる。
【００７１】
一方、人間の目が、表示された画像に対し違和感なく自然に感じるのは、画像の信号レベルと輝度の関係が、図６のＴＶモード曲線に示すような特性でなければならない事が知られている。
【００７２】
この場合、信号レベルＸと輝度相対値Ｚとの関係は、Ｚ＝Ｘγで表わされる。この定数γもガンマと呼ばれ、液晶パネルでは、γ＝２．０〜２．６程度が良いと、言われている。なお、図６のＴＶモード曲線は、γ＝２．２の場合の曲線を示す。
【００７３】
従って、図４および図５の特性を有する液晶パネルを使用して、図６に示したＴＶモードの特性を持つ液晶表示装置１０とするためには、図５の特性を持つ液晶パネル１１の画素電極にかける電圧として、図６に示したＴＶモードの出力と同一の輝度が得られる信号レベルに相当するアナログ値を、画素電極に印加すればよいことになる。このような信号階調レベルと、印加電圧との関係を図７に示す。
【図面の簡単な説明】
【００７４】
【図１】本発明の実施例に係る液晶表示装置１０を示すブロック図である。
【図２】液晶表示装置１０に用いられる電源供給用回路１３のブロック図である。
【図３】液晶表示装置１０に用いられるガンマ補正回路１４のブロック図である。
【図４】一般の液晶パネルの各画素電極に印加される電圧と、光の透過率との関係を示す図である。
【図５】一般の液晶パネルの各画素電極に印加される信号レベルと、光の透過率との関係を示す図である。
【図６】液晶表示装置１０において、人間の目が表示された画像に対し、違和感なく自然に感じる画像の信号レベルと、輝度との関係を示す図である。
【図７】液晶表示装置１０において、図６に示した関係を得るための、信号レベル（階調信号電圧）と、印加電圧との関係を示す図である。
【図８】従来の液晶表示装置５０を示すブロック図である。
【符号の説明】
【００７５】
１０  液晶表示装置
１１  液晶パネル
１２  制御用集積回路
１３  電源供給用回路
１４  ガンマ補正回路
１５  ソースドライバ
１６  ゲートドライバ
１７  列電極
１８  行電極
２０  第１電源部
２４  第２電源部
２５  第１スイッチ
２８  第２スイッチ
【図１】
2006323138.tif 000003
【図２】
2006323138.tif 000004
【図３】
2006323138.tif 000005
【図４】
2006323138.tif 000006
【図５】
2006323138.tif 000007
【図６】
2006323138.tif 000008
【図７】
2006323138.tif 000009
【図８】
2006323138.tif 000010